(57)【要約】【課題】日常生活に多用される比較的小物品を保管するものでありながら、小物品の使用あるいは観察する場面において、拡大鏡スタンドとしての役割を併せ有する拡大鏡付物品保管箱を提供する。【解決手段】箱体１の両側壁６の上縁部７に、箱体１の上方解放部９を開閉する蓋２が取り付けられており、その一端が外方から枢着ピン３，３を差込むことにより両側壁６の上方端部に枢着され、蓋２は、蓋２の他端８を上方に持ち上げることにより一対の枢着ピン３，３を支点として開閉自在となっており、蓋２上面の中央部には、蓋２を拡大鏡５と略相似形にくり抜いた開口部４が形成されており、前記開口部４の側縁４ａの一端に、拡大鏡５の端部が枢着ピン３ａで枢着されており、枢着ピン３ａ軸として回動自在とされていることを特徴とする。【選択図】  図３
2006102149.tif 000002
【特許請求の範囲】
【請求項１】
箱体（１）の両側壁（６）の上縁部（７）に、箱体（１）の上方解放部（９）を開閉する蓋（２）が取り付けられており、その一端が外方から枢着ピン（３）を差込むことにより両側壁（６）の上方端部に枢着され、蓋（２）は、蓋（２）の他端（８）を上方に持ち上げることにより一対の枢着ピン（３）を支点として開閉自在となっており、
蓋（２）上面の中央部には、蓋（２）を拡大鏡（５）と略相似形にくり抜いた開口部（４）が形成されており、
開口部（４）の側縁（４ａ）の一端に、拡大鏡（５）の端部が枢着ピン（３ａ）で枢着されており、枢着ピン（３ａ）軸として回動自在とされていることを特徴とする拡大鏡付物品保管箱。
【請求項２】
拡大鏡（５）を起こした状態からさらに蓋（２）の他端（８）を持ち上げて開状態にし、拡大鏡（５）のレンズ面（５ａ）を、ほぼ水平に近い状態にし、拡大鏡（５）のレンズ面（５ａ）を、蓋を持ち上げずに閉状態のときよりも高い位置に保持し、かつ拡大鏡の角度を調整可能としたことを特徴とする請求項１に記載の拡大鏡付物品保管箱。
【発明の詳細な説明】
【技術分野】
【０００１】
本発明は、文房具（鉛筆、消しゴム、ホッチキス他）、日常生活雑貨（爪切り器、刺抜き具、化粧品、マニキュアセット、鋏、縫い針、印鑑、時計、時計バンド他）、さらに装飾品（宝石、指輪、ネックレス、イヤリング、ブローチ他）などの小物品を保管する蓋を有する拡大鏡付物品保管箱に関するものである。
【背景技術】
【０００２】
従来より、文房具、日常生活雑貨さらに装飾品などの物品は木製、金属製、あるいはプラスチック製の小箱に納められ日常生活において身近に置かれ使用されているところである。一方、前記のような比較的小さな物品、装飾品などにおいては、それを使用するにあたっては拡大鏡（所謂、虫メガネ）により拡大して使用・観察する場面が多い。例えば、文具においては定規の目盛り、爪の手入れ、刺抜き、印鑑の確認、裁縫の針糸通し、時計バンドの修理、装飾品の銘板、宝石などの損傷部の確認などには、拡大鏡が使用される頻度が特に多い。
【０００３】
そこで、特開平１０−１４６５１号公報（特許文献１）では、爪切り器を使用するに際して、爪切断部分を明瞭に視覚確認するため爪切り器の本体に拡大レンズを付設したものが提案されている。他方、拡大鏡に関するものとしては、特開２００２−１４８５２７号公報（特許文献２）では、拡大鏡を使用者の視力に合わせてピントを自由に調整できるスタンド型のものが提案されている。いずれも日常生活において拡大鏡を活用しようとするものであり、便利に使用されているところである。
【０００４】
【特許文献１】特開平１０−１４６５１号公報
【特許文献２】特開２００２−１４８５２７号公報
【発明の開示】
【発明が解決しようとする課題】
【０００５】
しかしながら、特許文献１に記載のように爪切り器に拡大鏡を取り付けたものにおいては、爪切り器に付設した拡大レンズは爪切断動作の動きに伴い動く状態となっており、爪部分を安定して十分に視覚できず使い易いものではない。
【０００６】
また、特許文献２に記載の拡大鏡スタンドにおいては、使用者の視力に合わせてピントを調整できるもので、対象とする物を確実に拡大する点において重宝されるところである。しかし、その目的は、物品の拡大観察という目的に限定されたものである。
そこで、本発明は、日常生活に多用される比較的小物品の保管するものでありながら、それら小物品の使用あるいは観察する場面において、拡大鏡スタンドとしての役割をあわせ有する拡大鏡付物品保管箱の提供を課題とする。
【課題を解決するための手段】
【０００７】
本発明の請求項１に記載の拡大鏡付物品保管箱は、箱体１の両側壁６の上縁部７に、箱体１の上方解放部９を開閉する蓋２が取り付けられており、その一端が外方から枢着ピン３，３を差込むことにより両側壁６の上方端部に枢着され、蓋２は、蓋２の他端８を上方に持ち上げることにより一対の枢着ピン３，３を支点として開閉自在となっており、蓋２上面の中央部には、蓋２を拡大鏡５と略相似形にくり抜いた開口部４が形成されており、前記開口部４の側縁４ａの一端に、拡大鏡５の端部が枢着ピン３ａで枢着されており、枢着ピン３ａ軸として回動自在とされていることを特徴とする。
請求項２に記載の拡大鏡付物品保管箱は、請求項１において、拡大鏡５を起こした状態からさらに蓋２の他端８を持ち上げて開状態にし、拡大鏡５のレンズ面５ａを、ほぼ水平に近い状態にし、拡大鏡５のレンズ面５ａを、蓋を持ち上げずに閉状態のときよりも高い位置に保持し、かつ拡大鏡の角度を調整可能としたことを特徴とする。
【発明の効果】
【０００８】
本発明に係る拡大鏡付物品保管箱では、上部に蓋がついた箱体であるから、文房具、日常生活雑貨、さらに装飾品をその中に入れて埃、湿気などから保護し、かつ整理保管することができる。そして、定規、爪切り器、装飾品などを拡大して使用あるいは観察する必要が生じた場合、単に保管箱の蓋に枢着した拡大鏡を起こして使用すれば拡大鏡として利用できる。すなわち、別途、専用の拡大鏡スタンドを準備する必要はない。
【０００９】
また、本発明の保管箱において、拡大鏡はその付設構造において２つの特徴を有している。その１つは、箱体の蓋は開けない状態で、蓋の開口部に枢着して納められた拡大鏡のみを起こし、その開度を使用者の視線位置に応じて調整して、対象物を拡大観察することができる。この状態では、対象物を拡大鏡の向こうに回し手で掴んだまま拡大することになる。
【００１０】
次に、２つ目の特徴は拡大鏡を蓋から起こした状態のまま、さらに蓋を使用者の手前方向に起こし、拡大鏡がほぼ水平に近い状態とすることができる。この状態では、拡大鏡の枢着位置が蓋の開度により高低を調節できるので、比較的大きな物品も観察できる。
さらに、使用者は拡大鏡を通して上部方向から観察できるから、対象物品を本発明の拡大鏡付物品保管箱を載置した机、台、又は床に静置することができる。すなわち、対象物を手で保持することから開放される。そして、拡大鏡の位置、角度を調整し、最適な焦点位置で観察可能である。この状態では、爪切り、爪装飾、刺抜き、縫い針糸通し、宝石など装飾品の傷など各種作業を拡大観察しながら実施できる。すなわち、従来の専用拡大鏡スタンドと同じ機能を有している。
また、本発明の拡大鏡付物品保管箱を床面など低い位置に置くことにより、足の爪を楽な姿勢で切断することもできる。
【００１１】
蓋と拡大鏡を同時に起こした状態では、蓋に設けた開口部は採光窓としての役割をもち、照明を適宜当てることにより対象物を明るい状態で観察できる。
また、本発明の拡大鏡付物品保管箱は、日常使用する小物品の保管箱でありながら、これら小物品を使用・観察する場面においては、保管箱に付設する拡大鏡を起こし、適宜角度、高さを簡単に調整でき、最適な状態とすることができるから、日常の生活において極めて便利なものといえる。
【発明を実施するための最良の形態】
【００１２】
次に本発明の拡大鏡付物品保管箱について、実施の形態により詳細に説明する。
図１は、本発明の実施の形態１を示すものであり、物品保管箱として諸物品を保管し蓋を閉めた状態を示す斜視図（ａ）と、（ａ）におけるＺ−Ｚ断面図（ｂ）である。
図２は、実施の形態１の拡大鏡付物品保管箱において、蓋１を閉じた状態で拡大鏡５のみを起こした状態の斜視図（ａ）と、（ａ）におけるＺ−Ｚ断面図（ｂ）である。
図３は、実施の形態１の拡大鏡付物品保管箱において、蓋１を開の状態にし、かつ拡大鏡５を起こした状態を示す斜視図（ａ）と、（ａ）におけるＺ−Ｚ断面図（ｂ）である。
図４は、本発明の実施の形態２の拡大鏡付物品保管箱を示すものであり、拡大鏡として長方形レンズを使用した状態の斜視図である。
【００１３】
図１〜図３に示すように、実施の形態１の拡大鏡付物品保管箱は、直方体の箱体１の両側壁６の上縁部７に、箱体１の上方解放部９を開閉する蓋２が取り付けられており、その一端が外方から枢着ピン３，３を差込むことにより両側壁６の上方端部に枢着されている。したがって、蓋２は、蓋２の他端８を上方に持ち上げることにより一対の枢着ピン３，３を支点として開閉自在となっている。
【００１４】
本実施の形態１では、蓋２の枢着軸としてピンを用いているが、箱体１の前壁１１上端部に蝶番などで蓋２に前端部を取り付け、蓋２の他端８を上方に持ち上げることにより開閉することもできる。
また、蓋２上面の中央部には、蓋２を取っ手付き拡大鏡５と略相似形にくり抜いた開口部４が形成されている。この開口部４の側縁４ａの一端には、取っ手付き拡大鏡５の端部が枢着ピン３ａで枢着されており、枢着ピン３ａ軸として回動自在とされている。
開口部４の形状は拡大鏡５の形状よりやや大きめに形成されているが、開口部４と拡大鏡５との間の隙間があまり大き過ぎると、埃、湿気などが自在に物品保管箱１内に流入し保管箱としての役割が希釈される。
【００１５】
図１（ｂ）に示すように、箱体１の内部は、物品を保管するための空間を形成するが、箱体１内で物品の整頓ができるように、必要あれば適宜仕切り板（図示せず）などを設けてもよい。
図２に示すように、蓋２を閉じた状態で、開口部４に枢着した拡大鏡５のみを起こすことができる。起こされた取っ手付き拡大鏡５のレンズ面５ａを、使用者の視線に直角になるよう取っ手付き拡大鏡５の開度を調整することにより、観察しようとする物品を拡大して観察することができる。
【００１６】
図３は、図２に示す取っ手付き拡大鏡５を起こした状態からさらに蓋２の他端８を持ち上げて開状態にし（図３で右手前方向に起こす）、拡大鏡５のレンズ面５ａを、ほぼ水平に近い状態を示したものである。この状態では、拡大鏡５のレンズ面５ａは図２における位置よりも高い位置に保持され、かつ拡大鏡の角度も自由に調整可能となっている。
【００１７】
図３において分かるように、蓋２は、蓋２の他端８を上方に持ち上げることにより一対の枢着ピン３，３を支点として開閉自在となっており、蓋２は、図３（ａ）において左方向に開口部４を解放する姿勢をとっている。
ところが、蓋２の開口部４の側縁４ａに枢着された拡大鏡５は、レンズ面５ａを右方向に向かって起こす姿勢をとるように配設されている。
すなわち、蓋２の開口姿勢と、該蓋２に設けられた拡大鏡の開口姿勢が向き合う方向となるように枢着配置されている。したがって、蓋と拡大鏡を同時に起こしたとき、拡大鏡の枢着部が蓋の高い位置となり、使用者の視線が上部から下向きにとることができるため、楽な姿勢で物品の拡大観察が可能となるのである。
【００１８】
拡大鏡５が高い位置になっているから大き目の物品でも観察できるとともに、蓋の開口部４は採光窓としての役割をもち、この開口部から照明が可能となるために物品を明るい状態で観察できる。
図４は、本発明の実施の形態２の拡大鏡付物品保管箱を示すものであり、拡大鏡として長方形レンズを使用した状態の斜視図である。先述した実施の形態１に用いた取っ手付き拡大鏡を、長方形拡大鏡に代えたものである。拡大鏡を長方形とした場合、採光面積が大きくとれるので明るい状態で観察できるメリットがある。
【００１９】
本発明の保管箱は、木、金属、プラスチック等を材料として好適に製造できる。また、拡大鏡はガラス製あるいはアクリル樹脂製が使用できる。アクリル製の場合は、ガラス製よりも軽量化できる。
また、実施の形態１、２では、拡大鏡付物品保管箱の形状として、図面には直方体を例として示したが、箱体の形状は物品を入れて保管することができ、さらに蓋に拡大鏡を枢着できるものであればよく、立方体、円筒、楕円筒など種々の形状を適宜選択できる。
【産業上の利用可能性】
【００２０】
本発明の拡大鏡付物品保管箱は、日常生活に多用される比較的小さい物品を保管するものでありながら、それら小物品の使用あるいは観察する場面においては、拡大鏡スタンドの機能を有する。
また、箱体の蓋が箱体側壁の上縁部に開閉自在に枢着されていると共に、該蓋に設けられた開口部の側縁に開閉自在に拡大鏡を枢着した簡単な構造であるので、製造コストも安価で、日常生活において非常に便利なものである。
【図面の簡単な説明】
【００２１】
【図１】本発明の実施の形態１を示すものであり、物品保管箱として諸物品を保管し蓋を閉めた状態を示す斜視図（ａ）と、（ａ）におけるＺ−Ｚ断面図（ｂ）である。
【図２】実施の形態１の拡大鏡付物品保管箱において、蓋１を閉じた状態で拡大鏡５のみを起こした状態の斜視図（ａ）と、（ａ）におけるＺ−Ｚ断面図（ｂ）である。
【図３】実施の形態１の拡大鏡付物品保管箱において、蓋１を開の状態にし、かつ拡大鏡５を起こした状態を示す斜視図（ａ）と、（ａ）におけるＺ−Ｚ断面図（ｂ）である。
【図４】本発明の実施の形態２の拡大鏡付物品保管箱を示すものであり、拡大鏡として長方形レンズを使用した状態の斜視図である。
【符号の説明】
【００２２】
１  ・・・箱体
２  ・・・蓋
３  ・・・ピン（箱体側壁と蓋の枢着用）
３ａ・・・ピン（開口部と拡大鏡の枢着用）
４  ・・・開口部
４ａ・・・開口部側縁
５  ・・・拡大鏡（円形）
５ａ・・・拡大鏡（長方形）
６  ・・・側壁
７  ・・・上縁部
８  ・・・他端
９  ・・・上方解放部
【図１】
2006102149.tif 000003
【図２】
2006102149.tif 000004
【図３】
2006102149.tif 000005
【図４】
2006102149.tif 000006